(57)【要約】【課題】ＡＤ変換器の動作電圧に異常が生じた場合にその異常をより早期に検出し得る異常検出装置を提供する。【解決手段】異常検出装置１は、第１導電路８１に接続された電源線１０と、第１導電路８１に接続された第１入力線１１と、第２導電路８２に接続された第２入力線１２とを備える。第１導電路８１には、第１電源部９１によって第１電圧が印加され、第２導電路８２には、第２電源部９２によって第２電圧が印加される。ＡＤ変換器３は、電源線１０によって動作電圧が入力されるとともに、第１入力線１１からの入力によって設定される基準電圧値に基づき、少なくとも第２入力線１２から入力されたアナログ電圧値をデジタル値に変換する構成をなす。異常判定部は、ＡＤ変換器３が第２入力線１２からのアナログ電圧値を変換した変換値に基づいて異常が発生しているか否かを判定する。【選択図】図１
2017195428.tif 000002
【特許請求の範囲】
【請求項１】
第１電源部からの出力に基づいて第１電圧値に設定される第１導電路に接続された電源線と、
前記第１導電路に接続された第１入力線と、
第２電源部からの出力に基づいて第２電圧値に設定される第２導電路に接続された第２入力線と、
前記電源線によって動作電圧が入力されるとともに、前記第１入力線からの入力によって設定される基準電圧値に基づき、少なくとも前記第２入力線から入力されたアナログ電圧値をデジタル値に変換するＡＤ変換器と、
前記ＡＤ変換器が前記第２入力線からの前記アナログ電圧値を変換した変換値に基づいて異常が発生しているか否かを判定する異常判定部と、
を有する異常検出装置。
【請求項２】
前記異常判定部は、前記ＡＤ変換器による前記アナログ電圧値の変換値が所定の正規範囲を外れた場合に異常と判定する請求項１に記載の異常検出装置。
【請求項３】
前記異常判定部によって異常が発生していると判定された場合に、外部装置に異常発生を通知する通知部を有する請求項１又は請求項２に記載の異常検出装置。
【発明の詳細な説明】
【技術分野】
【０００１】
本発明は、ＡＤ変換器に関連する異常を検出する異常検出装置に関するものである。
【背景技術】
【０００２】
特許文献１には、ＡＤ変換器の故障を検出する故障検出装置が開示されている。特許文献１の故障検出装置は、アナログ信号電圧を入力するための２チャンネル以上の入力端子を有するＡＤ変換器の故障を検出する装置として構成される。この故障検出装置は、ＡＤ変換器を動作させるための電源およびＡＤ変換の基準となる基準電圧を生成する電源とは別に定められた電源から所定の故障検出用電圧を生成する故障検出用電圧生成手段を備える。更に、故障検出用電圧値をＡＤ変換したときの理想値を記憶する理想値記憶手段と、故障検出用電圧値をＡＤ変換器の少なくとも１チャンネルに入力し、そのＡＤ変換値と理想値とを比較し、両者の差が所定値を超えた場合にＡＤ変換器の故障と判定する故障検出手段とを備える。
【先行技術文献】
【特許文献】
【０００３】
【特許文献１】特開２００７−６５１２号公報
【発明の概要】
【発明が解決しようとする課題】
【０００４】
しかし、特許文献１で開示される故障検出装置は、ＡＤ変換器を動作させるための電源と、ＡＤ変換器の基準電圧を生成するための電源とをそれぞれ別電源としているため、ＡＤ変換器を動作させるための電源が故障して電源電圧が低下する場合に、故障初期において電源電圧が多少低下しても故障を発見しにくいという問題がある。つまり、ＡＤ変換器を動作させるための電源等に故障が発生しても、例えば電源電圧が基準電圧よりも大きく、ＡＤ変換器の動作を可能とし得るレベルにある段階では、電源電圧の低下の影響がＡＤ変換や故障検出に反映されにくいため、電源故障を発見できないという問題がある。
【０００５】
本発明は上述した事情に基づいてなされたものであり、ＡＤ変換器の動作電圧に異常が生じた場合にその異常をより早期に検出し得る異常検出装置を提供することを目的とするものである。
【課題を解決するための手段】
【０００６】
本発明の異常検出装置は、
第１電源部からの出力に基づいて第１電圧値に設定される第１導電路に接続された電源線と、
前記第１導電路に接続された第１入力線と、
第２電源部からの出力に基づいて第２電圧値に設定される第２導電路に接続された第２入力線と、
前記電源線によって動作電圧が入力されるとともに、前記第１入力線からの入力によって設定される基準電圧値に基づき、少なくとも前記第２入力線から入力されたアナログ電圧値をデジタル値に変換するＡＤ変換器と、
前記ＡＤ変換器が前記第２入力線からの前記アナログ電圧値を変換した変換値に基づいて異常が発生しているか否かを判定する異常判定部と、
を有する。
【発明の効果】
【０００７】
本発明の異常検出装置は、ＡＤ変換器へ動作電圧を供給する経路となる電源線と、基準電圧値の設定に用いる電圧の入力路となる第１入力線とがいずれも第１導電路に接続されている。このように構成されているため、例えば第１電源部の異常等によりＡＤ変換器に入力される動作電圧が変動する場合に、その変動に応じて基準電圧値も変動する。このように基準電圧値が変動すると、ＡＤ変換器が第２入力線から入力されるアナログ電圧値を変換した変換値は、正常なときに得られる値からずれることになる。つまり、ＡＤ変換器に入力される動作電圧が変動する場合、第２入力線のアナログ電圧値を変換した変換値に変化が生じるため、異常判定部は、この変換値に基づいて異常発生を検出することができる。しかも、本構成は、ＡＤ変換器の動作電圧の変化に応じて即座に変換値（第２入力線のアナログ電圧値を変換した値）の変化が生じる構成であるため、動作電圧に異常が生じた場合により早期に異常を検出することができる。
【図面の簡単な説明】
【０００８】
【図１】実施例１の異常検出装置を概略的に例示する回路図である。
【図２】図１の異常検出装置におけるＡＤ変換器の構成を概略的に例示する回路図である。
【図３】図１の異常検出装置におけるＡＤ変換器の構成について、図２とは異なる例を示す回路図である。
【発明を実施するための形態】
【０００９】
発明の望ましい形態を以下に示す。
本発明において、異常判定部は、ＡＤ変換器によるアナログ電圧値の変換値が所定の正規範囲を外れた場合に異常と判定する構成であってもよい。
【００１０】
ＡＤ変換器に入力される動作電圧及び基準電圧値が正常状態であり、第２電源部からの出力が安定している場合、ＡＤ変換器が第２入力線から入力されるアナログ電圧値を変換した変換値は所定の正常値付近となる可能性が高い。しかし、動作電圧が正常電圧から変動し、それに伴って基準電圧値が変動すると、ＡＤ変換器が第２入力線から入力されるアナログ電圧値を変換した変換値は上記正常値からずれることになり、動作電圧及び基準電圧値の変動が大きくなるほど正常値からのずれが大きくなる。よって、ＡＤ変換器によるアナログ電圧値の変換値が所定の正規範囲を外れた場合に異常と判定するように異常判定部を構成すれば、動作電圧が正常電圧から変動するような異常をより正確に検出することができる。
【００１１】
本発明の異常検出装置は、異常判定部によって異常が発生していると判定された場合に、外部装置に異常発生を通知する通知部を有していてもよい。
【００１２】
この構成によれば、少なくとも異常検出装置に入力される動作電圧が異常となった場合に、その旨を外部装置に通知することができる。
【００１３】
＜実施例１＞
以下、本発明を具体化した実施例１について図１、図２等を参照して説明する。
図１には、異常検出装置１と第１電源部９１と第２電源部９２とを備えた車載システム１００を概略的に例示している。この車載システム１００は、第１電源部９１に接続された第１導電路８１が異常検出装置１の端子Ｐ１，Ｐ２に電気的に接続され、第２電源部９２に接続された第２導電路８２が異常検出装置１の端子Ｐ３に電気的に接続された構成をなす。
【００１４】
図１で示す異常検出装置１は、ＡＤ変換機能を備えた車載用の電子装置として構成されており、例えば車載用のＤＣＤＣコンバータなどに適用されるものである。以下では、異常検出装置１がマイクロコンピュータとして構成される場合を例に挙げて説明する。
【００１５】
異常検出装置１は、ＡＤ変換器３、制御部５、図示しないメモリ、インターフェースなどを備えている。異常検出装置１は、外部から入力されたアナログ信号（アナログ電圧値）をＡＤ変換器３によってデジタル信号（デジタル値）に変換し、そのデジタル信号を制御部５によって処理し得る構成をなす。また、異常検出装置１は、電源線１０、第１入力線１１、第２入力線１２、入力信号線１３，１４などの各配線を備える。
【００１６】
異常検出装置１の外部には、第１電源部９１と第２電源部９２とが設けられている。第１電源部９１は、リニアレギュレータ、スイッチングレギュレータなどの電源回路として構成されており、第１電圧値Ｖ１の直流電圧を出力し第１導電路８１に印加する構成をなす。第２電源部９２は、リニアレギュレータ、スイッチングレギュレータなどの電源回路として構成されており、第１電源部９１の出力電圧値（第１電圧値Ｖ１）よりも小さい第２電圧値Ｖ２の直流電圧を出力し、第２導電路８２に印加する構成をなす。第１電源部９１及び第２電源部９２は、それぞれが独立して出力電圧を生成する電源回路として構成されている。
【００１７】
第１導電路８１は、第１電源部９１からの出力に基づいて第１電圧値Ｖ１の直流電圧が印加される導電路である。第１導電路８１は、第１電源部９１に接続されるとともに、分岐部８１Ａを起点として導電路８１Ｂと導電路８１Ｃとに分岐している。導電路８１Ｂは、異常検出装置１の端子Ｐ１に接続されている。導電路８１Ｃは、異常検出装置１の端子Ｐ２に接続されている。第２導電路８２は、第２電源部９２からの出力に基づいて第２電圧値Ｖ２の直流電圧が印加される導電路である。第２導電路８２は、異常検出装置１の端子Ｐ３に接続されている。
【００１８】
異常検出装置１の外部には、アナログ信号（アナログ電圧値）の入力路となる配線８３，８４が設けられ、配線８３，８４は、異常検出装置１の端子Ｐ４、Ｐ５にそれぞれ接続されている。グラウンドに接続される配線８５は、異常検出装置１の端子Ｐ６に接続されている。
【００１９】
異常検出装置１において、電源線１０は、所定の動作電圧Ｖｃｃが印加される配線であり、ＡＤ変換器３及び制御部５などに接続されている。電源線１０は、一端が端子Ｐ１に接続されており、端子Ｐ１を介して第１導電路８１に電気的に接続されている。電源線１０に印加される電圧（動作電圧Ｖｃｃ）の値は、第１導電路８１に印加される第１電圧値Ｖ１と同一である。ＡＤ変換器３及び制御部５は、電源線１０に印加される動作電圧Ｖｃｃによって動作する。
【００２０】
第１入力線１１は、ＡＤ変換器３に基準電圧値Ｖｒｅｆを入力する配線である。つまり、ＡＤ変換器３は、第１入力線１１からの入力によって設定される基準電圧値Ｖｒｅｆに基づいてＡＤ変換を行う構成をなす。第１入力線１１は、一端が端子Ｐ２に接続されており、端子Ｐ２を介して第１導電路８１に電気的に接続されている。第１入力線１１の他端は、ＡＤ変換器３に接続されている。第１入力線１１を介して入力される電圧値（基準電圧値Ｖｒｅｆ）は、第１導電路８１の電圧値（第１電圧値Ｖ１）と同一である。つまり、ＡＤ変換器３の動作電圧Ｖｃｃの値と基準電圧値Ｖｒｅｆは同一となっている。
【００２１】
第２入力線１２は、ＡＤ変換器３に対して評価用の電圧値（異常判定用の電圧値）Ｖ２ｉｎを入力する配線である。第２入力線１２は、一端が端子Ｐ３に接続されており、端子Ｐ３を介して第２導電路８２に電気的に接続されている。第２入力線１２の他端は、ＡＤ変換器３に接続されている。第２入力線１２の電圧値（評価用の電圧値Ｖ２ｉｎ）は、第２電源部９２から第２導電路８２に出力される電圧の値（第２電圧値Ｖ２）と同一であり、第２導電路８２の電圧値（第２電圧値Ｖ２）が端子Ｐ３及び第２入力線１２を介して評価用の電圧値Ｖ２ｉｎとしてＡＤ変換器３に入力される。
【００２２】
基準電位線２０は、所定の基準電圧Ｖｓｓが印加される配線であり、ＡＤ変換器３及び制御部５などに接続されている。基準電位線２０は、一端が端子Ｐ６に接続されており、端子Ｐ６を介して配線８５に電気的に接続されている。基準電圧Ｖｓｓの値、即ち基準電位線２０の電位は、所定のグラウンド電位に保たれている。
【００２３】
ＡＤ変換器３は、公知のＡＤ変換器として構成されている。このＡＤ変換器３は、電源線１０によって動作電圧Ｖｃｃが入力される構成をなし、第１入力線１１からの入力によって設定される基準電圧値Ｖｒｅｆに基づき、少なくとも第２入力線１２から入力されたアナログ電圧値をデジタル値に変換する機能を有する。また、入力信号線１３，１４から入力されたアナログ電圧値をデジタル値に変換する機能も有する。図１では、入力信号線１３によって入力されるアナログ電圧値をＶＡｉｎで示し、入力信号線１４によって入力されるアナログ電圧値をＶＢｉｎで示す。
【００２４】
図２には、ＡＤ変換器３の一例を示している。図２で示すＡＤ変換器３は、逐次比較型Ａ／Ｄコンバータとして構成されている。このＡＤ変換器３は、選択回路３１によって第２入力線１２、入力信号線１３，１４のいずれかが入力路として選択されるようになっており、選択された入力路によって入力されるアナログ電圧値（Ｖ２ｉｎ、ＶＡｉｎ、ＶＢｉｎのいずれか）が入力電圧値Ｖｉとして扱われる。そして、この入力電圧値Ｖｉが変換部３０でデジタル値に変換され、出力値Ｄｏｕｔとして出力される。
【００２５】
逐次比較型Ａ／Ｄコンバータの動作は公知であるので簡略的に説明する。ＡＤ変換器３は、選択回路３１と変換部３０とを備える。変換部３０は、サンプルホールド回路３２と、Ｄ／Ａコンバータ３５と、コンパレータ３３と、逐次比較レジスタ３４とを備える。
【００２６】
サンプルホールド回路３２は、選択回路３１で選択された入力路からのアナログ電圧値（入力電圧値Ｖｉ）を標本化する。Ｄ／Ａコンバータ３５は、逐次比較レジスタ３４（ＳＡＲ）のデジタル値をアナログ値に変換する。コンパレータ３３は、標本化された入力電圧値ＶｉとＤ／Ａコンバータ３５の出力値（出力電圧値）Ｖｄとを比較する。図２で示すＡＤ変換器３は、入力電圧値ＶｉとＤ／Ａコンバータ３５の出力値Ｖｄとが一致するように、アナログレベルで比較しながらデジタル値（出力値Ｄｏｕｔ）を決める方式で動作する。比較は、まず、逐次比較レジスタ３４で設定されるデジタル信号ＤｉｎのＭＳＢに「１」を立て、Ｄ／Ａコンバータ３５の出力を、例えば１／２ＦＳ（ＦＳは最大レンジ）にする。Ｄ／Ａコンバータ３５の出力値Ｖｄが入力電圧値Ｖｉｎより大きければＭＳＢを「０」にし、逆に出力値Ｖｄが入力電圧値Ｖｉｎより小さければＭＳＢを「１」にしたまま、次のビットを「１」にして比較する。この操作をＬＳＢまで行なって変換を終了する。この回路では、Ｄ／Ａコンバータ３５に入力される基準電圧値Ｖｒｅｆとして、第１入力線１１から入力された基準電圧値Ｖｒｅｆが用いられる。つまり、逐次比較レジスタ３４で設定されるデジタル信号Ｄｉｎが同じでも、動作電圧Ｖｃｃが変動するとＤ／Ａコンバータ３５に入力される基準電圧値Ｖｒｅｆが変動するため、Ｄ／Ａコンバータ３５の出力値Ｖｄが変化することになる。
【００２７】
図１で示す制御部５は、例えば、ＣＰＵとして構成されており、様々な演算や処理を行い得る。制御部５は、異常判定部の一例に相当し、ＡＤ変換器３が第２入力線１２からのアナログ電圧値Ｖ２ｉｎを変換した変換値Ｄ２ｉｎに基づいて異常が発生しているか否かを判定する構成をなす。
【００２８】
ここで、制御部５によって行われる異常検出処理について説明する。
図２で示すＡＤ変換器３は、選択回路３１による入力経路の切り替えにより、各経路から入力されるアナログ電圧値Ｖ２ｉｎ、ＶＡｉｎ、ＶＢｉｎのそれぞれをデジタル値に変換し得る。制御部５は、選択回路３１が第２入力線１２を選択した時期（即ち、アナログ電圧値Ｖ２ｉｎが図２で示す入力電圧値Ｖｉとされる時期）に異常判定を行う。
【００２９】
具体的には、選択回路３１によって第２入力線１２が選択され、第２入力線１２のアナログ電圧値Ｖ２ｉｎが変換部３０によってデジタル値（変換値Ｄ２ｉｎ）に変換された場合に、その変換値Ｄ２ｉｎ（ＡＤ変換器３によるアナログ電圧値Ｖ２ｉｎの変換値）が所定の正規範囲を外れたか否かを判断する。そして、変換値Ｄ２ｉｎが正規範囲を外れている場合に異常と判定する。例えば、上限電圧値Ｖｔｈ１と下限電圧値Ｖｔｈ２とが予め定められており、上限電圧値Ｖｔｈ１以下且つ下限電圧値Ｖｔｈ２以上の範囲が正規範囲として設定されている。そして、制御部５は、第２入力線１２のアナログ電圧値Ｖ２ｉｎがＡＤ変換器３によって変換されたデジタル値（変換値Ｄ２ｉｎ）が上限電圧値Ｖｔｈ１を超えた場合、又は、変換値Ｄ２ｉｎが下限電圧値Ｖｔｈ２未満となった場合に異常と判定する。
【００３０】
例えば、第１電源部９１の故障などによって動作電圧Ｖｃｃが大きく変動するような場合、その変動に伴って基準電圧値Ｖｒｅｆも変化することになる。このような場合、ＡＤ変換に用いる基準電圧値Ｖｒｅｆの変化により、ＡＤ変換器３によるアナログ電圧値Ｖ２ｉｎの変換値Ｄ２ｉｎは、本来得られるべき正常値から大きくずれることになる。このようなずれにより、変換値Ｄ２ｉｎが上限電圧値Ｖｔｈ１（正常状態のときに得られるべき変換値Ｄ２ｉｎの正常値よりも少し大きい電圧値）を超えた場合、又は、変換値Ｄ２ｉｎが下限電圧値Ｖｔｈ２（正常状態のときに得られるべき変換値Ｄ２ｉｎの正常値よりも少し小さい電圧値）未満となった場合、制御部５は異常と判定することになる。
【００３１】
なお、変換値Ｄ２ｉｎが正規範囲を外れる原因は、第１電源部９１の故障などによって動作電圧Ｖｃｃが変動する場合に限られず、ＡＤ変換器３自体に故障が生じた場合、第２電源部９２に故障が生じた場合などでも起こり得る。これらが原因の場合、或いはこれ以外の原因の場合でも、ＡＤ変換器３によって変換された変換値Ｄ２ｉｎが正規範囲を外れるには制御部５は異常と判定することになる。制御部５は、このように異常と判定した場合、例えばＡＤ変換器３によるＡＤ変換動作を停止させてもよく、ＡＤ変換器３によるＡＤ変換動作によって得られた値を破棄又は無効化させてもよい。
【００３２】
また、本構成では、制御部５が通知部の一例に相当し、制御部５（異常判定部）が行う上述の異常検出処理によって異常が発生していると判定された場合に、外部装置７０に異常発生を通知する。外部装置７０は、異常検出装置１から情報を受信し得る装置であればよく、例えば、車載用のＥＣＵなどがこれに相当する。具体的には、制御部５は、第２入力線１２のアナログ電圧値Ｖ２ｉｎがＡＤ変換器３によって変換されたデジタル値（変換値Ｄ２ｉｎ）が上限電圧値Ｖｔｈ１を超えた場合、又は、変換値Ｄ２ｉｎが下限電圧値Ｖｔｈ２未満となった場合に、外部装置７０に対して異常信号を送信する。
【００３３】
以上のように、本構成の異常検出装置１は、ＡＤ変換器３へ動作電圧Ｖｃｃを供給する経路となる電源線１０と、基準電圧値Ｖｒｅｆの設定に用いる電圧の入力路となる第１入力線１１とがいずれも第１導電路８１に接続されている。このように構成されているため、例えば第１電源部９１の異常等によりＡＤ変換器３に入力される動作電圧Ｖｃｃが変動する場合に、その変動に応じて基準電圧値Ｖｒｅｆも変動する。このように基準電圧値Ｖｒｅｆが変動すると、ＡＤ変換器３が第２入力線１２から入力されるアナログ電圧値Ｖ２ｉｎを変換した変換値Ｄ２ｉｎは、正常なときに得られる値からずれることになる。つまり、ＡＤ変換器３に入力される動作電圧Ｖｃｃが変動する場合、第２入力線１２のアナログ電圧値Ｖ２ｉｎを変換した変換値Ｄ２ｉｎに変化が生じるため、異常判定部に相当する制御部５は、この変換値Ｄ２ｉｎに基づいて異常発生を検出することができる。しかも、本構成は、ＡＤ変換器３の動作電圧Ｖｃｃの変化に応じて即座に変換値Ｄ２ｉｎ（第２入力線１２のアナログ電圧値Ｖ２ｉｎを変換した値）の変化が生じる構成であるため、動作電圧Ｖｃｃに異常が生じた場合により早期に異常を検出することができる。
【００３４】
また、異常判定部に相当する制御部５は、ＡＤ変換器３によってアナログ電圧値Ｖ２ｉｎを変換したときの変換値Ｄ２ｉｎが所定の正規範囲を外れた場合に異常と判定する構成である。ＡＤ変換器３に入力される動作電圧Ｖｃｃ及び基準電圧値Ｖｒｅｆが正常状態であり、第２電源部９２からの出力が安定している場合、ＡＤ変換器３が第２入力線１２から入力されるアナログ電圧値Ｖ２ｉｎを変換した変換値Ｄ２ｉｎは所定の正常値付近となる可能性が高い。しかし、動作電圧Ｖｃｃが正常電圧から変動し、それに伴って基準電圧値Ｖｒｅｆが変動すると、ＡＤ変換器３が第２入力線１２から入力されるアナログ電圧値Ｖ２ｉｎを変換した変換値Ｄ２ｉｎは上記正常値からずれることになり、動作電圧Ｖｃｃ及び基準電圧値Ｖｒｅｆの変動が大きくなるほど正常値からのずれが大きくなる。よって、ＡＤ変換器３によるアナログ電圧値Ｖ２ｉｎの変換値Ｄ２ｉｎが所定の正規範囲を外れた場合に異常と判定するように異常判定部を構成すれば、動作電圧Ｖｃｃが正常電圧から変動するような異常をより正確に検出することができる。
【００３５】
異常検出装置１は、異常判定部に相当する制御部５によって異常が発生していると判定された場合に、外部装置７０に異常発生を通知する通知部を有する。この構成によれば、少なくとも異常検出装置１に入力される動作電圧Ｖｃｃが異常となった場合に、その旨を外部装置７０に通知することができる。
【００３６】
＜他の実施例＞
本発明は上記記述及び図面によって説明した実施例に限定されるものではなく、例えば次のような実施例も本発明の技術的範囲に含まれる。
（１）上述した実施例では、ＡＤ変換器３の構成として、図２のような逐次比較型Ａ／Ｄコンバータの例を示したが、この例に限定されない。例えば、ＡＤ変換器３を図３のような並列比較型のＡ／Ｄコンバータとして構成してもよい。並列比較型のＡ／Ｄコンバータは公知であるので以下では簡略的に説明する。図３で示すＡＤ変換器３は、Ｎ個（例えば７個）の抵抗Ｒ及び比較器（比較器４１Ａ、４１Ｂ、４１Ｃ、４１Ｄ、４１Ｅ、４１Ｆ、４１Ｇ）を並べている。そして、実施例１と同様の選択回路３１によって第２入力線１２、入力信号線１３，１４のいずれかが入力路として選択されるようになっており、選択された入力路によって入力されるアナログ電圧値（Ｖ２ｉｎ、ＶＡｉｎ、ＶＢｉｎのいずれか）が入力電圧値Ｖｉとして扱われる。このＡＤ変換器３は、入力電圧値Ｖｉと各比較器の入力値を一度に比較する．これにより，比較器４１Ａ、４１Ｂ、４１Ｃ、４１Ｄ、４１Ｅ、４１Ｆ、４１Ｇの出力はあるところを境にして０又は１が連続することになる．この比較器４１Ａ、４１Ｂ、４１Ｃ、４１Ｄ、４１Ｅ、４１Ｆ、４１Ｇの出力をエンコーダ４２によって２進数に変換して出力する。この回路では、基準電圧値Ｖｒｅｆとして、第１入力線１１から入力された基準電圧値Ｖｒｅｆが用いられる。このため、動作電圧Ｖｃｃが変動すると基準電圧値Ｖｒｅｆが変動し、各比較器４１Ａ、４１Ｂ、４１Ｃ、４１Ｄ、４１Ｅ、４１Ｆ、４１Ｇの入力値が変化することになり、入力電圧値Ｖｉが同じであっても出力値が変化することになる。よって、この場合でも、第２入力線１２のアナログ電圧値Ｖ２ｉｎがＡＤ変換器３によって変換されたデジタル値（変換値Ｄ２ｉｎ）が上限電圧値Ｖｔｈ１を超えた場合、又は、変換値Ｄ２ｉｎが下限電圧値Ｖｔｈ２未満となった場合に異常と判定する方法を用いればよい。
（２）上述した例では、ＡＤ変換器３の構成として、逐次比較型Ａ／Ｄコンバータの一例、及び並列比較型の一例を示したが、これらの例に限定されない。例えば、ＡＤ変換器３を、二重積分型、電荷平衡型、Ｖ／Ｆ変換型などの積分型のＡＤ変換器として構成してもよく、これら以外の公知方式のＡＤ変換器として構成してもよい。
（３）上述した実施例では、２つの入力信号線１３，１４からのアナログ電圧値がＡＤ変換器３に入力される構成を例示したが、ＡＤ変換器３に接続される入力信号線は１つであってもよく、３以上であってもよい。
（４）上述した実施例では、第１導電路８１の電圧値（第１電圧値Ｖ１）を基準電圧値Ｖｒｅｆとした例を示したが、基準電圧値Ｖｒｅｆは、第１導電路８１の電圧値（第１電圧値Ｖ１）が反映された電圧値であればよい。例えば、第１導電路８１の電圧値（第１電圧値Ｖ１）を分圧回路によって分圧した電圧値を基準電圧値Ｖｒｅｆとしてもよい。
（５）上述した実施例では、第２導電路８２の電圧値（第２電圧値Ｖ２）を評価用の電圧値Ｖ２ｉｎとした例を示したが、評価用の電圧値Ｖ２ｉｎは、第２導電路８２の電圧値（第２電圧値Ｖ２）が反映された電圧であればよい。例えば、第２導電路８２の電圧値（第２電圧値Ｖ２）を分圧回路によって分圧した電圧値を評価用の電圧値Ｖ２ｉｎとしてもよい。
（６）上述した実施例では、ＡＤ変換器３による評価用の電圧値Ｖ２ｉｎ（アナログ電圧値）の変換値Ｄ２ｉｎが予め設定された所定の正規範囲を外れた場合に異常と判定するように異常判定部（制御部５）が構成されている。しかし、この例に限定されない。例えば、制御部５は、基準電圧値Ｖｒｅｆの値をＡＤ変換器３によってデジタル値に変換し、その変換値Ｄｒｅｆと、評価用の電圧値Ｖ２ｉｎをＡＤ変換器３によって変換した変換値Ｄ２ｉｎとの差分が、所定の正常範囲を外れる場合に異常と判定してもよい。
（７）上述した実施例では、異常検出装置１の適用対象として車載用のＤＣＤＣコンバータを例示したが、ＡＤ変換機能を必要とする車載用の他の電子機器に適用してもよい。
【符号の説明】
【００３７】
１…異常検出装置
３…ＡＤ変換器
５…制御部（異常判定部、通知部）
１０…電源線
１１…第１入力線
１２…第２入力線
８１…第１導電路
８２…第２導電路
９１…第１電源部
９２…第２電源部
【図１】
2017195428.tif 000003
【図２】
2017195428.tif 000004
【図３】
2017195428.tif 000005